(57)【要約】【課題】  高電圧を印加したトリガ電極により発光部に高電圧が掛かったものにおいても、その電圧による悪影響を与えないまま発光部やランプハウジングが高熱となるのを防ぐことができることで、被施療者および施療者が火傷を負う危険を低減させると共に、光学パネルの熱による変形をも防ぎ、発光体の一回の発光に対する発光エネルギーや、連続して発光するに当たっての各発光間の時間間隔を制限する必要のない光照射型美容装置を提供する。【解決手段】  発光部１と、発光部１を内部に収容するランプハウジング２と、を備えた光照射型美容装置Ａである。放熱フィン５１を備えたヒートシンク５を伝熱性且つ絶縁性を備えた中間部材６を介して発光部１に取り付け、放熱フィン５１をランプハウジング２の外部に露出する。発光ユニット３を本体ハウジング４に装着したときに放熱フィン５１が本体ハウジング４の内部に収容されるようにした。【選択図】        図１
2010142612.tif 000002
【特許請求の範囲】
【請求項１】
処理対象の皮膚に光を照射するための光を発する発光部と、発光部を内部に収容するランプハウジングと、を備えた発光ユニットを本体ハウジングに装着して成る光照射型美容装置であって、発光ユニットは、放熱フィンを備えたヒートシンクを伝熱性且つ電気絶縁性を備えた中間部材を介して発光部に取り付けると共に該放熱フィンをランプハウジングの外部に露出してなり、発光ユニットを本体ハウジングに装着したときに放熱フィンが本体ハウジングの内部に収容されて成ることを特徴とする光照射型美容装置。
【請求項２】
前記放熱フィンを本体ハウジングの長手方向における発光ユニットの装着された部位に対して遠い側の端部に向けて延出し、該ハウジングの長手方向における発光ユニットの装着された部位に対して遠い側の端部にハウジングの内外を連通する排熱用孔を設けて成ることを特徴とする請求項１に記載の光照射型美容装置。
【請求項３】
処理対象の皮膚に光を照射するための光を発する発光部と、発光部を制御する制御部を備えた回路基板と、回路基板から発する熱を放熱する基板用放熱フィンを複数備え回路基板に取付けられる基板用ヒートシンクと、前記発光部と回路基板と基板用ヒートシンクとを内部に収容するハウジングと、を備え、発光部が発する光をハウジングの外部に向けて照射するようにした光照射型美容装置において、伝熱性且つ電気絶縁性を備えた中間部材を介して前記発光部を基板用ヒートシンクに装着し、回路基板から発する熱と共に発光部から発する熱を放熱するようにしたことを特徴とする光照射型美容装置。
【発明の詳細な説明】
【技術分野】
【０００１】
本発明は、光照射型美容装置、詳しくは発光部を備え、発光部からの光を処理対象の皮膚に対して照射することで、この処理対象の皮膚をトリートメントする光照射型美容装置に関するものである。
【背景技術】
【０００２】
従来から、処理対象となる皮膚に光を照射して、光の作用により体毛の脱毛や毛髪の再生を抑制し、あるいは皮膚の赤みや色素沈着等を改善することで、肌をトリートメントする光照射型美容装置が知られている（例えば特許文献１参照）。
【０００３】
図６及び図７に示す光照射型美容装置は、本体ハウジング４に発光ユニット３を装着することで構成されており、この発光ユニット３は、ランプハウジング２の内部に発光部１を収容することで構成されている。そして、この発光ユニット３に備わる発光部１から発する光を光照射型美容装置の外部に向けて照射するようになっている。このような光照射型美容装置を使用するに当たっては、同装置本体に設けられた光照射部７を処理対象の皮膚に押し当ててセットし、この皮膚に押し当てた状態を維持して発光部１を発光させる。こうすることで、処理対象の皮膚に光を照射させて、その部分の体毛を脱毛したり又は脱毛した後の毛髪の再生を抑制したり、あるいは皮膚の赤みや色素沈着等を改善できるようになっている（図２及び図３参照）。
【０００４】
この発光ユニット３における発光部１は、図７に示すように、電気伝導性を有するアルミニウム製の反射傘１２の内部に発光体１１を収容し、この反射傘１２の開口に光を透過する光学パネル１３を配設することで構成してある。なお、図中の１１ａ，１１ｂは、発光体１１の両端に設けられ発光体１１に電圧を印加するための陰極１１ａ及び陽極１１ｂを示している。
【０００５】
ここで、この発光体１１は放電管により構成されており、放電を引き起こすためのトリガが設けられている。このトリガは、以下のような構成となっている。
【０００６】
反射傘１２の外側面と本体ハウジング４内に設けた回路基板８とはリード線Ｂを介して電気的に接続してある。詳しくは、反射傘１２の外側面にトリガ電極となる銅テープ１２１を貼着し、そのトリガ電極としての銅テープ１２１上にリード線Ｂをはんだ付けすることにより、反射傘１２に対してリード線Ｂが導通接続されている。また、図７に示すように、反射傘１２の内周面における発光体１１が配設される部位には、発光体１１に沿うようにして導通突条部１２２が平行に並んで２つ突設されている。一方、発光体１１は円筒状の放電管により構成されており、その放電管の外周面には透明な透明導電膜が、真空蒸着やスパッタリング等によりコーティングされている。
【０００７】
そして、このような反射傘１２の導通突条部１２２に発光体１１の外周面が接触するようにして、これらは設置されており、回路基板８に設けられたトリガトランスにより発生する高電圧が、リード線Ｂ、銅テープ１２１、反射傘１２、導通突条部１２２、発光体１１の透明導電膜、の順で導通し、この高電圧が放電のためのトリガとなる。
【０００８】
このような発光部１により光を発生させるには、発光体１１の両端に高電圧を印加すると共に、このトリガ電極としての銅テープ１２１に高電圧を付与する。こうすることで、電気伝導性を有するアルミニウム製の反射傘１２を介して発光体１１の透明導電膜に高電圧が印加され、発光体１１の内部の放電ガスを励起し導通させて発光する。
【特許文献１】特開２００４−３２１４０１号公報
【発明の開示】
【発明が解決しようとする課題】
【０００９】
ところで、この発光体１１は、高電圧が陰極及び陽極に印加されることで高エネルギーの光を繰り返し発光するようになっているが、この高エネルギーの光を直接受ける反射傘１２や光学パネル１３は、発光体１１を繰り返し発光させることで高熱になってしまう。しかも、この反射傘１２や光学パネル１３が高温になると、これらに接触しているランプハウジング２までも高温になってしまう。
【００１０】
このように光学パネル１３が高熱になると、光学パネル１３に直接接触する被施療者の処理対象の皮膚が火傷を負ってしまったり、光学パネル１３自体が高熱になって変形したりしてしまうし、反射傘１２が高熱になると、反射傘１２表面に貼着してあるトリガ電極用銅テープ１２１がリード線Ｂ諸共剥離してしまうという問題が生じてしまう。また、ランプハウジング２が高熱になると、ランプハウジング２自体が変形してしまう。そのため、反射傘１２や光学パネル１３並びにランプハウジング２が高熱にならないようにするために、発光体１１の一回の発光に対する発光エネルギーや、連続して発光するに当たっての各発光間の時間間隔を制限して、これらの反射傘１２やレンズ、並びにランプハウジング２が高熱となるのを抑制するようにしていた。
【００１１】
そこで、本発明に至る過程で、本発明の発明者はこの発光部に放熱器を接触させて取り付けることを考え出した。しかしながら、上記のものは、トリガ電極としての銅テープ１２１を反射傘１２に貼着したものに、高電圧を印加するようになっているため、反射傘１２に対しても高い電圧を付与してしまっているため、高熱となる反射傘１２に、放熱器（ヒートシンク）のようなものをただ単に接触させて取付けただけであれば、その放熱器自体にも高電圧が掛かってしまうというという点で問題があった。
【００１２】
本発明は、上記従来の問題に鑑みてなされたものであり、その目的とするところは、高電圧を印加したトリガ電極により発光部に高電圧が掛かったものにおいても、その電圧による悪影響を与えないまま発光部やランプハウジングが高熱となるのを防ぐことができることで、被施療者および施療者が火傷を負う危険を低減させると共に、光学パネルの熱による変形をも防ぎ、しかも、発光体の一回の発光に対する発光エネルギーや、連続して発光するに当たっての各発光間の時間間隔を制限する必要のない光照射型美容装置を提供することにある。
【課題を解決するための手段】
【００１３】
上記課題を解決するために請求項１に係る発明にあっては、処理対象の皮膚に光を照射するための光を発する発光部１と、発光部１を内部に収容するランプハウジング２と、を備えた発光ユニット３を本体ハウジング４に装着して成る光照射型美容装置Ａであって、発光ユニット３は、放熱フィン５１を備えたヒートシンク５を伝熱性且つ電気絶縁性を備えた中間部材６を介して発光部１に取り付けると共に該放熱フィン５１をランプハウジング２の外部に露出してなり、発光ユニット３を本体ハウジング４に装着したときに放熱フィン５１が本体ハウジング４の内部に収容されて成ることを特徴とするものである。
【００１４】
このように構成したことで、処理対象の皮膚に光を繰り返し発したとしても、それにより発生する熱を、ランプハウジング２内に篭らせることなくランプハウジング２の外部に効率良く放熱することができるため、発光部１やランプハウジング２が高熱になるのを防ぐことができる。また、ヒートシンク５を伝熱性且つ電気絶縁性を備えた中間部材６を介して発光部１に装着したから、発光部１が帯電した場合であっても、ヒートシンク５が帯電することがなくなる。更に言えば、発光ユニット３を本体ハウジング４に装着したときに放熱フィン５１が本体ハウジング４の内部に収容されるように構成したから、施療者が誤って放熱フィン５１に触れて火傷をしてしまうことがない。
【００１５】
また、請求項２に係る発明にあっては、請求項１に係る発明において、前記放熱フィン５１を本体ハウジング４の長手方向における発光ユニット３の装着された部位に対して遠い側の端部に向けて延出し、該ハウジングの長手方向における発光ユニット３の装着された部位に対して遠い側の端部にハウジングの内外を連通する排熱用孔４１を設けて成ることを特徴とするものである。
【００１６】
このように構成したことで、請求項１に係る効果に加えて、処理対象の皮膚の体毛の成長を調節するための光を繰り返し発したとしても、それにより発生する熱を、排熱用孔４１から光照射型美容装置Ａ外に効率良く放熱することができるため、発光部１やランプハウジング２が高熱になるのを防ぐことができ、しかも、放熱フィン５１を本体ハウジング４の長手方向における発光部１の位置する部位に対して遠い側の端部に向けて延出しているから、放熱フィン５１の放熱面積を広くすることができて、より放熱効率を向上させることができる。また、排熱用孔４１を施療者が通常触れない部位である本体ハウジング４の端部に設けたから、排熱により施療者が火傷をするのを防止できる。
【００１７】
また、請求項３に係る発明にあっては、処理対象の皮膚に光を照射するための光を発する発光部１と、発光部１を制御する制御部を備えた回路基板８と、回路基板８から発する熱を放熱する基板用放熱フィン９１を複数備え回路基板８に取付けられる基板用ヒートシンク９と、前記発光部１と回路基板８と基板用ヒートシンク９とを内部に収容する本体ハウジング４と、を備え、発光部１が発する光を本体ハウジング４の外部に向けて照射するようにした光照射型美容装置Ａにおいて、伝熱性且つ電気絶縁性を備えた中間部材６を介して前記発光部１を基板用ヒートシンク９に装着し、回路基板８から発する熱と共に発光部１から発する熱を放熱するようにしたことを特徴とするものである。
【００１８】
このように構成したことで、処理対象の皮膚に光を繰り返し発したとしても、それにより発生する熱を回路基板８に取付けてある基板用ヒートシンク９を介して熱することができるため、発光部１が高熱になるのを防ぐことができる。つまり、発光部１用に新たにヒートシンク５を設けなくとも、簡略した構成で発光部１が高熱になるのを防ぐことができるため、コストを低減することができる。また、基板用ヒートシンク９を伝熱性且つ電気絶縁性を備えた中間部材６を介して発光部１に装着したから、発光部１が帯電した場合であっても、基板用ヒートシンク９が帯電することがなくなる。
【発明の効果】
【００１９】
本発明によれば、トリガ電極により発光部が帯電するものであっても、発光部やランプハウジングが高熱となるのを防止することができるので、この光照射型美容装置の施療者や被施療者が負う火傷を低減することができ、また、発光体の一回の発光に対する発光エネルギーや、連続して発光するに当たっての各発光間の時間間隔を制限する必要もなくなる。
【発明を実施するための最良の形態】
【００２０】
以下、本発明について添付図面に基づいて説明する。なお、説明の便宜上本体ハウジング４の長手方向を上下方向とし、特に本体ハウジング４において発光ユニット３を装着した端部側を上方として説明する。
【００２１】
添付図面に示すように本実施形態の光照射型美容装置Ａは、脱毛効果及び毛髪の再生を抑制する（以下、抑毛という）波長の光を発する発光部１を内部に備えた光照射型美容装置Ａである。この光照射型美容装置Ａは、図２及び図３に示すように、片手で把持可能な円筒状の本体ハウジング４の上部に発光部１を備える発光ユニット３を装着し、この発光ユニット３内の発光部１が発する光を、該発光ユニット３の上方に設けられた光照射部７を通して外部に照射するようになっている。
【００２２】
本実施形態の本体ハウジング４は、長手方向の略中間部が把持部４４となっており、把持部４４として把持し易いようにややくびれて形成されており、その把持部４４近傍に照射スイッチ４２が設けられている。この照射スイッチ４２のＯＮ／ＯＦＦにより発光部１による発光がなされるように構成されている。
【００２３】
発光ユニット３は、発光部１と、発光部１を内部に収容するランプハウジング２と、発光部１に接続されて発光部１の熱を放熱するヒートシンク５とを備えている。このヒートシンク５は複数の放熱フィン５１を備えており、中間部材６を介して発光部１に取り付けられている。この放熱フィン５１は、ランプハウジング２の外部に露出するようにして配設されている。
【００２４】
発光部１は、発光体１１の後方を集光用の反射傘１２で覆うようにして発光体１１が反射傘１２の内部に収容されており、その反射傘１２の前方の開口を透過性を有する光学パネル１３によって覆うようにして構成してある。発光部１にある発光体１１は、上述のように、脱毛及び発毛を抑制するための光を発する放電管で構成されており、具体的には、一方の端部を陽極とすると共にその他方の端部を陰極とする円筒状の放電管内にキセノンガスを封入したキセノンランプから成るフラッシュライトで構成されている。この放電管の外周面は、スパッタリングや真空蒸着等により、透明で且つ導電性を有する透明導電膜によってコーティングされている。さらに、この発光体１１を後方から覆う反射傘１２は、電気導電性を有するアルミニウムにより形成されており、図１（ｂ）に示すように、断面においては開口に近づくほど対向する側面間の距離が広がるような断面椀状に形成されている。この反射傘１２の底部には、２つの導通突条部１２２が発光体１１に沿うように平行に突設されており、この導通突条部１２２に接触するようにして前述の発光体１１が配設されている（図７参照）。
【００２５】
ここで、上述した通り発光体１１はキセノンランプから成る放電管で構成されており、放電のための絶縁破壊を起こすために、トリガ電極が設けられている。詳しく説明すると、反射傘１２の外側面に銅テープ１２１が貼着してあり、その銅テープ１２１がトリガ電極となる。このトリガ電極には、後述するトリガ回路とリード線Ｂを介して電気的に接続してあるが、具体的には、銅テープ１２１上にリード線Ｂがはんだ付けされて導通接続されている。上述の通り、反射傘１２はアルミニウムにより形成されているため、リード線Ｂ、銅テープ１２１、反射傘１２、導通突条部１２２、発光体１１の透明導電膜は相互に導通するように構成されている。
【００２６】
ヒートシンク５はアルミニウム等の熱伝導性の良好な材料により形成されており、複数の放熱フィン５１と、この放熱フィン５１を連結する連結片５２とが一体となって構成されている。また、この連結片５２の放熱フィン５１の設けられていない側の面が、発光部１の反射傘１２の外面と中間部材６を介して対向する接触面５３となっている。この接触面５３は、図１（ｂ）に示すように、反射傘１２の外形に対応した形状に形成されており、反射傘１２と接触面５３とは中間部材６を介して面状に密着できるように形成されている。この接触面５３の背面に設けられる複数の放熱フィン５１は、各放熱フィン５１が略平行となるように設けられており、図１（ａ）（ｂ）に示すように、本実施形態の放熱フィン５１はランプハウジング２の外部にまで延出して露出している。このように設けられたヒートシンク５は、その接触面５３に高熱を帯びた反射傘１２が中間部材６を介して接触した場合には、その熱は接触面５３から連結片５２を介して放熱フィン５１に至り、この放熱フィン５１からランプハウジング２の外部に放熱する。
【００２７】
中間部材６は、反射傘１２とヒートシンク５との間に介装されており、この中間部材６は伝熱性且つ電気絶縁性を備えたシート状の伝熱性絶縁シート６ａによって構成されている。本実施形態の伝熱性絶縁シート６ａから成る中間部材６は、熱伝導性シリコーンゴムで形成された熱伝導用シート（熱伝導性シリコーンゴムシート）が用いられている。この中間部材６は柔軟性を有しているため、反射傘１２とヒートシンク５とが密着した状態で固設できるようになっている。
【００２８】
ランプハウジング２は、発光部１を内部に収容できるような平面視略楕円形の筒状に形成されている。このランプハウジング２の上部には、光学パネル１３を固設するための取付凹所２１が設けられており、光学パネル１３の外縁をこの取付凹所２１に嵌め込んで固定した状態では、ランプハウジング２の上端と光学パネル１３の上面とが面一となるように構成されている。また、ランプハウジング２の内面には、発光体１１の両端にある陰極１１ａと陽極１１ｂにそれぞれ導通する導通板（図示なし）が上下方向に敷設されており、このそれぞれの導通板はランプハウジング２の下部に設けられた雄コネクタ部２２と電気的に接続されている。
【００２９】
このようなランプハウジング２の内部には、光学パネル１３を取付凹所２１に嵌め込んで設置し、その光学パネル１３の下部に、内部に発光体１１を収容した反射傘１２が配設されており、さらに、その反射傘１２の下面にはヒートシンク５が反射傘１２に密着した状態で取り付けられており、更に、このヒートシンク５の放熱フィン５１が、ランプハウジング２から下方に向けて突出している。なお、反射傘１２には上述のように、リード線Ｂがはんだ付けにより固設されているが、このリード線Ｂはランプハウジング２から突出した位置でコネクタ接続できるようになっている。つまり、この発光ユニット３は、本体ハウジング４に対して着脱自在となるように構成されている。
【００３０】
このように構成された発光ユニット３は、円筒状の本体ハウジング４の上端部に装着される。詳しくは、まず、トリガ電極に接続されるリード線Ｂと、本体ハウジング４内のトリガ回路に接続されるリード線とをコネクタ接続し、次いで、発光ユニット３から放熱フィン５１が突出した状態の発光ユニット３を、この突出した放熱フィン５１を本体ハウジング４の内部に挿通しつつ、本体ハウジング４内の回路基板８にある制御部と電気的に接続された雌コネクタ部（図示なし）に、発光ユニット３の雄コネクタ部２２を接続するようにして装着する。このように、本体ハウジング４に発光ユニット３が装着された状態で、放熱フィン５１が本体ハウジング４の内部に収容されるようになっている。そして、本体ハウジング４に装着された発光ユニット３の略上方には、発光部１により発せられる光を光照射型美容装置Ａの外部に照射するための光照射部７が設けられている。この光照射部７は、筒状の筒体部７１によって構成されている。
【００３１】
この筒体部７１は平面視環状に形成されており、平面視中央の開口を発光部１からの光を通過させる光照射口としている。筒体部７１は、発光部１の周囲を囲むようにして設置されると共に、筒体部７１の上端は発光部１の上端（すなわち、光学パネル１３上面）よりも上方に位置している。また、筒体部７１の下部には、外方に広がる固定片（図示なし）が形成されている。このような筒体部７１は、本体ハウジング４に装着された発光ユニット３を被嵌した状態のまま、さらにその筒体部７１の上方から、筒状の光照射カバー４３が挿通される。このとき、光照射カバー４３は、筒体部７１に設けられた固定片を上方から本体ハウジング４に対して押さえつけるようになっており、この光照射カバー４３が本体ハウジング４に係止固定されることで、筒体部７１も本体ハウジング４に対して固定されるようになる。
【００３２】
この筒体部７１により、施療者が施療時に被施療者の処理対象の皮膚にこの筒体部７１を押し当てた状態であっても、発光部１の光学パネル１３が処理対象の皮膚に接触しないようになっており、その上、筒体部７１を押し当てた状態のまま、本体ハウジング４の照射スイッチ４２をＯＮにすれば、発光部１から光を発した場合においても、外部に対する光の漏れを防ぐことができる。
【００３３】
本体ハウジング４内には、発光部１を制御する制御部を備えた回路基板８が収納してある。制御部は、電源に接続されてこの電源から供給される電圧を昇圧させるためのＤＣ／ＤＣコンバータ回路と、ＤＣ／ＤＣコンバータ回路により昇圧された電圧を発光体１１の端部に設けられた陰極及び陽極に電荷を印加する放電コンデンサと、トリガトランスを介することにより発光体１１を励起させるトリガ回路と、を備えている。このトリガトランスは反射傘１２に設けられたトリガ電極に接続されており、トリガトランスにより昇圧された高電圧をトリガ電極に印加するようになっている。このような制御部を備える回路基板８には、基板用放熱フィン９１を複数備えた基板用ヒートシンク９が設けられており、回路基板８から生じる熱を排熱できるようになっている。なお、この基板用ヒートシンク９と回路基板８との間には、上記と同様の熱伝導性シリコーンゴムで形成された伝熱性絶縁シート６ａから成る中間部材６が介装されている。
【００３４】
このようにして構成された光照射型美容装置Ａを用いて脱毛及び抑毛処理を行うには、本体ハウジング４を片手で把持した状態で、処理対象の皮膚に対して筒体部７１の先端を押し当て、この先端に囲まれる領域内に処理対象となる皮膚が位置するようにセットする。この状態で照射スイッチ４２を操作して光照射をＯＮにすれば、発光体１１から発せられる光が、光学パネル１３を介して処理対象の皮膚に照射され、この処理対象の皮膚の体毛に対して脱毛及び抑毛作用を及ぼし、その結果、処理対象の皮膚に美肌効果を及ぼす。このとき、上述したように、筒体部７１の先端を全周に亘って皮膚に圧接した状態を維持することで、照射される閃光の外部への漏れは防止される。
【００３５】
ところで、通常、このような光照射を繰り返し行なうと、発光体１１が発する光によって反射傘１２や光学パネル１３、並びにランプハウジング２が高温となってしまう。反射傘１２が高温になると、反射傘１２に貼着されたトリガ電極としての銅テープ１２１が剥離し、また光学パネル１３やランプハウジング２が高温になると光学パネル１３やランプハウジング２それ自体が変形してしまうという問題が生じてしまうが、本実施形態の光照射型美容装置Ａは、上記のように反射傘１２にヒートシンク５を密着させて設置しているから、反射傘１２や光学パネル１３や発光体１１から成る発光部１の熱を効果的に排熱することができる。つまり、光照射型美容装置Ａを使用したことにより発光部１が高熱を帯びたとしても、ヒートシンク５を介してランプハウジング２外部に排熱することができるので、トリガ電極としての銅テープ１２１の剥離や、光学パネル１３やランプハウジング２の変形を防止することができる。
【００３６】
更に言えば、従来はトリガ電極としての銅テープ１２１の剥離や、光学パネル１３及びランプハウジング２の変形を防止するために、発光体１１の一回の発光に対する発光エネルギーや、連続して発光するに当たっての各発光間の時間間隔を制限するようにしていたが、本実施形態の構成によれば効果的な排熱効果を奏することができるので、発光体１１の一回の発光に対する発光エネルギーや、連続して発光するに当たっての各発光間の時間間隔を制限する必要がない。つまり言い換えれば、このヒートシンク５により発光部１を効果的に冷却することができるので、発光体１１の一回の発光に対する発光エネルギーを高エネルギーとでき、連続して発光するに当たっての各発光間の時間間隔を短くでき、それでいて、トリガ電極としての銅テープ１２１の剥離や光学パネル１３の変形を防止することができるのである。
【００３７】
次に、他の実施形態について図４に基づいて説明する。なお、本実施形態は図１（ａ）（ｂ）に示す実施形態と大部分において同じであるため、同じ部分においては同符号を付して説明を省略し、主に異なる部分について説明する。
【００３８】
本実施形態の光照射型美容装置Ａは、放熱フィン５１を本体ハウジング４の長手方向における発光部１の位置する部位に対して遠い側の端部に向けて延出し、該本体ハウジング４の長手方向における発光部１の位置する部位に対して遠い側の端部に本体ハウジング４の内外を連通する排熱用孔４１を設けたものである。
【００３９】
図４に示すように、発光ユニット３の発光部１の反射傘１２には、上記実施形態と同様にヒートシンク５が設けられており、このヒートシンク５の複数の放熱フィン５１が、ランプハウジング２から突出して、本体ハウジング４の長手方向の下方の端部近傍にまで延出することで構成されている。また、この本体ハウジング４の長手方向の下方の端部には、本体ハウジング４の内外を連通する排熱用孔４１が穿設してある。本実施形態の排熱用孔４１は、排熱用孔４１としてのスリット状の排熱スリット４１ａが複数並設することで構成されている。
【００４０】
このように、本実施形態の光照射型美容装置Ａは、発光ユニット３を本体ハウジング４の上部に設置し且つ、本体ハウジング４の長手方向における発光ユニット３のある側とは反対側の端部（つまり、本体ハウジング４の下部）に向けて放熱フィン５１を延出させたから、放熱フィン５１の表面積を大きくすることができ、発光部１から発せられる熱の放熱効率を大幅に向上させることができる。その上、本実施形態においては、放熱フィン５１の先端側の本体ハウジング４の端部に、放熱フィン５１から放熱した熱を本体ハウジング４の外部に排出できる排熱用孔４１を設けてある。すなわち、施療者が本体ハウジング４を把持した場合においても、通常触れることのない本体ハウジング４の端部に排熱用孔４１が穿設されているから、放熱フィン５１による放熱した熱気を外部に排出しても、その排熱によって施療者が火傷を負う危険を低減することができる。
【００４１】
なお、本実施形態における排熱孔は本体ハウジング４の長手方向の下端部に設けたが、この排熱孔は、施療者が使用するに当たって、触れることのない部位に設けるものであれば、上記と同様に、施療者が火傷を負う危険を低減させることができる。
【００４２】
次に、他の実施形態について図５に基づいて説明する。なお、本実施形態は図１乃至図４に示す実施形態と大部分において同じであるため、同じ部分においては同符号を付して説明を省略し、主に異なる部分について説明する。
【００４３】
本実施形態の光照射型美容装置Ａは、発光部１には上記実施形態のようなヒートシンク５が個別に設けられていない。しかし、本実施形態の発光部１は回路基板８に設けてある基板用ヒートシンク９と接触して設けてあり、回路基板８から発する熱と共に発光部１から発する熱を放熱するようにしている。詳しく説明すると、回路基板８に中間部材６を介して設置された基板用ヒートシンク９の発光部１側の端部には、発光部１に接触するための接触部９２が形成されており、本体ハウジング４から上方に向けて突出している。この接触部９２は、反射傘１２の外形と対応した形状に形成されており、発光ユニット３を本体ハウジング４に装着したときに、反射傘１２と接触部９２とは中間部材６を介して面状に密着できるように形成されている。
【００４４】
この中間部材６は、上記実施形態と同様に、伝熱性且つ電気絶縁性を備えたシート状の伝熱性絶縁シート６ａによって構成されている。本実施形態の伝熱性絶縁シート６ａから成る中間部材６は、熱伝導性シリコーンゴムで形成された熱伝導用シート（熱伝導性シリコーンゴムシート）が用いられている。この中間部材６は柔軟性を有しているため、反射傘１２と基板用ヒートシンク９の接触部９２とが密着した状態で固設できるようになっている。
【００４５】
本実施形態の光照射型美容装置Ａは、上記のように構成されているから、発光部１が光を繰り返し発したとしても、それにより発生する熱を回路基板８に取付けてある基板用ヒートシンク９を介して排熱することができるため、発光部１やランプハウジング２が高熱になるのを防ぐことができる。つまり、発光部１に新たにヒートシンク５を設けなくとも、簡略した構成で発光部１やランプハウジング２が高熱になるのを防ぐことができるため、コストを低減することができる。
【００４６】
なお、第２の実施形態のように本実施形態の基板用放熱フィン９１を本体ハウジング４の長手方向の下端部にまで延出し且つその本体ハウジング４の長手方向の下端部に排熱用孔４１を設けたものであってももちろん良い。
【００４７】
以上、キセノンライトを用いた光照射型美容装置Ａに基づいて本発明の光照射型美容装置を説明したが、発光体１１はキセノンライトから成るフラッシュライトに限定されず、他の構成から成るフラッシュライトであってもよい。また、上記実施形態のように発光体１１は脱毛及び抑毛を図るものに限定されず、上記実施形態の発光体１１による波長を、皮膚の赤みや色素沈着等を改善できる波長にして、美肌効果をより向上させるものであっても勿論よい。
【００４８】
また、上記のいずれの実施形態においても、中間部材６として伝熱性且つ電気絶縁性を備えたシート状の伝熱性絶縁シート６ａを用いているが、この中間部材６は伝熱性絶縁シート６ａでなくてもよく、熱伝導性グリースを使用してもよい。なお、熱伝導性グリースとしては熱伝導性シリコーングリースを使用することができる。
【００４９】
また、反射傘１２はアルミニウムにより形成されているが、例えば銀により形成したものであってもよく、特に限定されるものではない。
【図面の簡単な説明】
【００５０】
【図１】本発明の一実施形態の光脱毛装置の発光ユニットを説明する図であり（ａ）は正面図であり（ｂ）は側断面図である。
【図２】同上の光脱毛装置の正面図である。
【図３】同上の光脱毛装置の側面図である。
【図４】他の実施形態の側断面図である。
【図５】更に他の実施形態の一部を省略した側断面図である。
【図６】従来例の発光ユニットの断面図である。
【図７】従来例の発光部の要部の斜視図である。
【符号の説明】
【００５１】
１      発光部
１１    発光体
１２    反射傘
１３    光学パネル
２      ランプハウジング
３      発光ユニット
４      本体ハウジング
５      ヒートシンク
５１    放熱フィン
５２    連結片
５３    接触面
６      中間部材
６ａ    伝熱性絶縁シート
【図１】
2010142612.tif 000003
【図２】
2010142612.tif 000004
【図３】
2010142612.tif 000005
【図４】
2010142612.tif 000006
【図５】
2010142612.tif 000007
【図６】
2010142612.tif 000008
【図７】
2010142612.tif 000009